(57)【特許請求の範囲】
【請求項１】
貯湯タンクと、
水を加熱する加熱手段と、
前記加熱手段で加熱された湯を前記貯湯タンクに蓄積する沸き上げ運転を制御する沸き上げ制御手段と、を備え、
前記沸き上げ制御手段は、
前記沸き上げ運転を実行するための時間帯として、第１時間帯と第２時間帯を設定する手段と、
前記第１時間帯の少なくとも一時期における前記沸き上げ運転が、前記第２時間帯における前記沸き上げ運転よりも優先されるように、前記時間帯に優先順位を設定する手段と、
を含んで構成され、
電力料金の時間帯別情報に基づいて、前記電力料金が高い高料金時間帯と前記高料金時間帯よりも低い低料金時間帯とを取得する手段を更に備え、
前記沸き上げ制御手段は、前記低料金時間帯のうちの前記第１時間帯及び前記第２時間帯に属する時間帯によって沸き上げ量が目標沸き上げ量に到達しない場合に、前記低料金時間帯のうちの前記第１時間帯及び前記第２時間帯に属さない時間帯において前記沸き上げ運転を自動で行うように構成されていることを特徴とする貯湯式給湯機。
【請求項２】
前記沸き上げ制御手段は、前記第１時間帯の前記沸き上げ運転によって沸き上げ量が目標沸き上げ量に到達した場合には、前記第２時間帯での前記沸き上げ運転を行わないように構成されていることを特徴とする請求項１に記載の貯湯式給湯機。
【請求項３】
前記沸き上げ制御手段は、前記第１時間帯の前記沸き上げ運転によって沸き上げ量が目標沸き上げ量に到達しない場合に報知を行う報知手段を更に備えることを特徴とする請求項１又は請求項２に記載の貯湯式給湯機。
【請求項４】
前記第１時間帯又は前記第２時間帯において前記沸き上げ運転を実行した場合に沸き上げ可能な沸き上げ量を表示する表示手段を更に備えることを特徴とする請求項１から請求項３の何れか１項に記載の貯湯式給湯機。
【請求項５】
電力料金の時間帯別情報に基づいて、電力料金が高い高料金時間帯と電力料金が前記高料金時間帯よりも低い低料金時間帯とを取得する手段を更に備え、
前記沸き上げ制御手段は、
前記第１時間帯及び前記第２時間帯のうちの前記低料金時間帯に属する時間帯を前記高料金時間帯よりも優先して、前記沸き上げ運転を行うように構成されていることを特徴とする請求項１から請求項４の何れか１項に記載の貯湯式給湯機。
【発明の詳細な説明】
【技術分野】
【０００１】
本発明は、貯湯式給湯機に関する。
【背景技術】
【０００２】
従来、例えば特許文献１には、手動設定の沸き上げ運転を実施する給湯機に関する技術が開示されている。より詳しくは、この給湯機では使用者の生活習慣に柔軟に対応するために、強制沸き上げ運転の各種運転条件を手動で設定可能に構成されている。
【先行技術文献】
【特許文献】
【０００３】
【特許文献１】特開２００９−１２７８７０号公報
【発明の概要】
【発明が解決しようとする課題】
【０００４】
しかしながら、上記の特許文献１の給湯機では、使用者によって設定された各種運転条件に従い沸き上げ運転が行われる。このため、設定された沸き上げ時間によっては沸き上げ量が不足し、湯切れが発生するおそれがある。
【０００５】
本発明は、上述のような課題を解決するためになされたもので、沸き上げ運転を実行するための時間帯を設定する貯湯式給湯機において、使用者の生活習慣に則した時間帯に沸き上げ運転を行いつつ湯切れを防止することのできる貯湯式給湯機を提供することを目的とする。
【課題を解決するための手段】
【０００６】
本発明に係る貯湯式給湯機は、貯湯タンクと、水を加熱する加熱手段と、加熱手段で加熱された湯を貯湯タンクに蓄積する沸き上げ運転を制御する沸き上げ制御手段と、を備え、沸き上げ制御手段は、沸き上げ運転を実行するための時間帯として、第１時間帯と第２時間帯を設定する手段と、第１時間帯の少なくとも一時期における沸き上げ運転が、第２時間帯における沸き上げ運転よりも優先されるように、当該時間帯に優先順位を設定する手段と、を含んで構成され、電力料金の時間帯別情報に基づいて、電力料金が高い高料金時間帯と高料金時間帯よりも低い低料金時間帯とを取得する手段を更に備え、沸き上げ制御手段は、低料金時間帯のうちの第１時間帯及び第２時間帯に属する時間帯によって沸き上げ量が目標沸き上げ量に到達しない場合に、低料金時間帯のうちの第１時間帯及び第２時間帯に属さない時間帯において沸き上げ運転を自動で行うように構成されているものである。
【発明の効果】
【０００７】
本発明の貯湯式給湯機によれば、複数の時間帯の優先順位に従い、目標沸き上げ量に達するまで沸き上げ運転が行なわれる。これにより、使用者の生活習慣に則した時間帯に沸き上げ運転を行いつつ湯切れを防止することが可能となる。
【図面の簡単な説明】
【０００８】
【図１】実施の形態１の貯湯式給湯機を示す構成図である。
【図２】リモコンの模式図である。
【図３】実施の形態１の貯湯式給湯機における沸き上げ時間帯の設定の一例を示した模式図である。
【図４】実施の形態１の貯湯式給湯機における沸き上げ時間帯の設定の他の例を示した模式図である。
【図５】実施の形態２の貯湯式給湯機における沸き上げ時間帯の設定の例を示した模式図である。
【発明を実施するための形態】
【０００９】
以下、図面を参照して実施の形態について説明する。なお、各図において共通する要素には、同一の符号を付して、重複する説明を省略する。
【００１０】
実施の形態１．
図１は、実施の形態１の貯湯式給湯機を示す構成図である。図１に示すように、本実施の形態１の貯湯式給湯機１００は、タンクユニット３３と、ヒートポンプサイクルを利用するように構成されたヒートポンプユニット７とを備えている。ヒートポンプユニット７とタンクユニット３３との間は、ヒートポンプ往き配管１４、ヒートポンプ戻り配管１５及び図示しない電気配線を介して接続されている。また、タンクユニット３３には、貯湯式給湯機１００の運転動作を制御する制御装置３６が内蔵されている。タンクユニット３３及びヒートポンプユニット７が備える各種の弁類、ポンプ類、センサ類は、制御装置３６に電気配線を介して接続されている。制御装置３６は、リモコン５０と相互に通信可能に接続されている。リモコン５０については説明を後述する。制御装置３６は、例えばマイクロコンピュータ等により構成されている。制御装置３６は、ＲＯＭ、ＲＡＭ、不揮発性メモリ等を含む記憶部と、記憶部に記憶されたプログラムに基づいて演算処理を実行する演算処理装置（ＣＰＵ）と、演算処理装置に対して外部の信号を入出力する入出力ポートとを備える。以下、貯湯式給湯機１００の各構成要素について説明する。
【００１１】
ヒートポンプユニット７は、タンクユニット３３から導かれた水を加熱する加熱手段として機能する。ヒートポンプユニット７は、圧縮機１、水冷媒熱交換器３、膨張弁４、空気熱交換器６を冷媒循環配管５にて環状に接続し、ヒートポンプサイクルを構成している。水冷媒熱交換器３は、冷媒とタンクユニット３３から導かれた水との間で熱交換を行う。ヒートポンプ往き温度サーミスタ３９は、水冷媒熱交換器３で加熱される前の水の温度を検知するための温度センサであり、ヒートポンプ往き配管１４に設けられている。また、ヒートポンプ戻り温度サーミスタ４０は、水冷媒熱交換器３で加熱された高温水の温度を検知するための温度センサであり、ヒートポンプ戻り配管１５に設けられている。
【００１２】
タンクユニット３３には、以下の各種部品及び配管などが内蔵されている。貯湯タンク８は、上側が高温で下側が低温になる温度成層を形成して湯水を貯留する。貯湯タンク８の下部に設けられた水導入口８ａには、市水である低温水を供給する給水管路９の第三給水配管９ｃが接続されている。給水管路９については後述する。貯湯タンク８の上部には、温水導入出口８ｄが設けられている。温水導入出口８ｄには、貯湯タンク８に貯留した湯を給湯機外部へ供給するための給湯配管２１が接続されている。貯湯タンク８には、ヒートポンプユニット７を用いて加熱された高温水がタンク上部から流入し、第三給水配管９ｃを介して低温水がタンク下部に流入することにより、貯湯タンク８内の上部と下部で温度差が生じるように湯水が貯留される。貯湯タンク８内の湯水の温度分布を検知するため、貯湯タンク８の表面には、高さの異なる位置に複数の温度センサが設置される。本実施の形態１では、貯湯タンク８の上部領域に上部残湯温度サーミスタ４２が配置され、貯湯タンク８の下部領域に下部残湯温度サーミスタ４３が配置されているが、３個以上の温度センサを貯湯タンク８に取り付けても良い。制御装置３６は、貯湯タンク８に取り付けられたこれらの温度センサにより取得された温度分布に基づいて、貯湯タンク８内の残湯量を把握する。
【００１３】
また、タンクユニット３３内には、循環ポンプ１２及びふろ用熱交換器２０が内蔵されている。循環ポンプ１２は、後述する各種配管に湯水を循環させるためのポンプである。ふろ用熱交換器２０は、貯湯タンク８またはヒートポンプユニット７から供給される高温水を利用して、２次側の加熱対象流体を加熱するための熱交換器である。なお、本実施の形態１では、ふろ用熱交換器２０の２次側の構成として、浴槽３０内の湯水を循環させるふろ往き配管２７及びふろ戻り配管２８を例に挙げて説明する。ふろ用熱交換器２０は、ふろ往き配管２７及びふろ戻り配管２８を介して浴槽３０と接続され、これらにより循環経路が形成されている。ふろ戻り配管２８の途中には、浴槽水を循環させるためのふろ循環ポンプ２９と、浴槽３０から出た浴槽水の温度を検知するためのふろ戻り温度サーミスタ３８とが設置されている。ふろ往き配管２７の途中には、ふろ用熱交換器２０から出た熱交換後の浴槽水の温度を検知するためのふろ往き温度サーミスタ３７が設置されている。
【００１４】
次に、タンクユニット３３が備える弁類及び配管類について説明する。タンクユニット３３は、三方弁１１及び四方弁１８を有している。三方弁１１は、湯水が流入する２つの入口であるａポート及びｂポートと、湯水が流出する１つの出口であるｃポートとを有する流路切り替え手段であり、ａポートもしくはｂポートのどちらかから湯水が流入するように湯水の経路を切り替え可能に構成されている。四方弁１８は、湯水が流入する２つの入口であるｂポート及びｃポートと、湯水が流出する２つの出口であるａポート及びｄポートとを有している。四方弁１８は、４つの経路、すなわち、ａ−ｂ経路、ａ−ｃ経路、ｂ−ｄ経路、ｃ−ｄ経路の間で流路形態を切り替え可能に構成されている。
【００１５】
また、タンクユニット３３は、水導出口配管１０と、送湯配管１３と、第一バイパス配管１６と、第二バイパス配管１７と、熱源側回路を構成する温水導入配管２０ａ及び温水導出配管２０ｂとを有している。
【００１６】
水導出口配管１０は、貯湯タンク８の水導出口８ｂと三方弁１１のａポートとを接続する流路である。送湯配管１３は、四方弁１８のｄポートと、貯湯タンク８の上部の温水導入出口８ｄとを接続する流路である。前述したヒートポンプ往き配管１４は、三方弁１１のｃポートとヒートポンプユニット７の入口側とを接続する流路であり、ヒートポンプ戻り配管１５は、ヒートポンプユニット７の出口側と四方弁１８のｃポートとを接続する流路である。ヒートポンプ往き配管１４の途中に循環ポンプ１２が配置されている。第一バイパス配管１６は、四方弁１８のａポートと、貯湯タンク８の高さ方向の中央部から下部の間に設けられた温水導入口８ｃとを接続する流路である。第二バイパス配管１７は、ヒートポンプ往き配管１４の途中に設けられた循環ポンプ１２とヒートポンプユニット７の入り口側との間から分岐し、四方弁１８のｂポートに接続される流路である。温水導入配管２０ａは、送湯配管１３の途中から分岐し、ふろ用熱交換器２０の１次側入口に接続される流路である。温水導出配管２０ｂは、ふろ用熱交換器２０の１次側出口と三方弁１１のｂポートとを接続する流路である。
【００１７】
タンクユニット３３は、さらに、第一給水配管９ａ、第二給水配管９ｂ、給湯用混合弁２２、ふろ用混合弁２３、第一給湯配管２４、及び第二給湯配管２５を有している。第一給水配管９ａの一端は水道等の水源に接続され、第一給水配管９ａの他端には減圧弁３１を介して第二給水配管９ｂ及び第三給水配管９ｃが接続されている。第一給水配管９ａ、第二給水配管９ｂ及び第三給水配管９ｃによって給水管路９が構成されている。第二給水配管９ｂは、途中から分岐して給湯用混合弁２２及びふろ用混合弁２３にそれぞれ接続されている。また、給湯配管２１は、途中から分岐して給湯用混合弁２２及びふろ用混合弁２３にそれぞれ接続されている。第二給湯配管２５の途中には、第二給湯配管２５を開閉するふろ用電磁弁２６が設けられている。
【００１８】
給湯用混合弁２２及びふろ用混合弁２３は、給湯配管２１から供給される高温水と、第二給水配管９ｂから供給される低温水との流量比を調整する。これにより、ユーザーがリモコン５０にて設定した設定温度の湯を生成し、第一給湯配管２４及び第二給湯配管２５にそれぞれ流入させる。給湯用混合弁２２で温度調整された湯は、第一給湯配管２４から図示しないシャワー、カラン等の蛇口に供給される。一方、ふろ用混合弁２３で温度調整された湯は、第二給湯配管２５からふろ用電磁弁２６、ふろ往き配管２７、ふろ戻り配管２８を経て浴槽３０に供給される。
【００１９】
図１に示す貯湯式給湯機１００の制御装置３６は、沸き上げ運転を実行する沸き上げ制御手段としての機能を備えている。沸き上げ運転は、ヒートポンプユニット７を利用して貯湯タンク８内の水を沸き上げる運転のことである。この沸き上げ運転時には、ヒートポンプユニット７および循環ポンプ１２を稼動させる。また、三方弁１１は、ａポートがｃポートに連通し、ｂポートが閉状態となるように制御される。また、四方弁１８は、ｃポートがｄポートに連通し、ａポート及びｂポートが閉状態となるように制御される。沸き上げ運転では、循環ポンプ１２により、貯湯タンク８の水導出口８ｂから導出された水が、水導出口配管１０、三方弁１１、ヒートポンプ往き配管１４を通ってヒートポンプユニット７内の水冷媒熱交換器３に送られる。そして、ヒートポンプユニット７内の水冷媒熱交換器３で加熱された高温水が、ヒートポンプ戻り配管１５、四方弁１８、送湯配管１３を通り、温水導入出口８ｄから貯湯タンク８に流入する。このような沸き上げ運転が実行されることで、貯湯タンク８の内部では、上層部から高温水が貯えられていき、この高温水層が徐々に厚くなる。
【００２０】
図１に示す貯湯式給湯機１００は、リモコン５０を備えている。リモコン５０は、例えば浴室又は台所等に設置されるものであり、通信線を介して制御装置３６と接続されている。図２は、リモコン５０の模式図である。この図に示すように、リモコン５０は、操作ボタン５１と、表示部５２と、スピーカー５３と、を備えている。操作ボタン５１は、後述する沸き上げ時間帯の設定及び優先順位の設定を行うためのものである。
【００２１】
次に、実施の形態１の貯湯式給湯機１００の特徴的動作について説明する。実施の形態１の貯湯式給湯機１００は、使用者が手入力で沸き上げ時間帯を設定するための構成、及び設定された沸き上げ時間帯に優先順位を設定する構成を備える点に特徴を有している。図３は、実施の形態１の貯湯式給湯機１００における沸き上げ時間帯の設定の一例を示した模式図である。
【００２２】
使用者は、リモコン５０の操作ボタン５１を操作して沸き上げ時間帯を設定する。図３に示す例では、１時から４時の時間帯に第１時間帯としての沸き上げ時間帯Ａが設定され、８時から１１時の間の時間帯に第２時間帯としての沸き上げ時間帯Ｂが設定されている。なお、この図では２つの沸き上げ時間帯が設定されている例を示しているが、３以上の沸き上げ時間帯を設定してもよい。
【００２３】
また、使用者は、リモコン５０の操作ボタン５１を操作して、設定された沸き上げ時間帯Ａ、Ｂの優先順位を設定する。図３に示す例では、沸き上げ時間帯Ａが優先順位の高い高優先時間帯に設定され、沸き上げ時間帯Ｂが沸き上げ時間帯Ａよりも優先順位の低い低優先時間帯に設定されている。
【００２４】
制御装置３６は、使用者によって設定された沸き上げ時間帯の中で、貯湯タンク８内に蓄積される熱量である沸き上げ量が目標とする目標沸き上げ量に到達するように沸き上げ運転を行う。この際、制御装置３６は、使用者によって設定された優先順位に従い、先ず沸き上げ時間帯Ａにおいて沸き上げ運転を行う。そして、沸き上げ時間帯Ａでの沸き上げ運転において沸き上げ量が目標沸き上げ量に到達しなかった場合には、次に沸き上げ時間帯Ｂにおいて沸き上げ運転を行う。
【００２５】
このように、実施の形態１の貯湯式給湯機１００によれば、使用者によって設定された沸き上げ時間帯の中で沸き上げ運転が行なわれるので、使用者の生活習慣に則した時間帯での沸き上げ運転が可能となる。また、実施の形態１の貯湯式給湯機１００によれば、沸き上げ時間帯Ａでの沸き上げ運転によって目標沸き上げ量に到達しなかった場合に沸き上げ時間帯Ｂにおいて沸き上げ運転が行われるので、湯切れを防止することができる。
【００２６】
図４は、実施の形態１の貯湯式給湯機１００における沸き上げ時間帯の設定の他の例を示した模式図である。図４に示す例では、０時から６時の時間帯に第１時間帯としての沸き上げ時間帯Ｃが設定され、１６時から１９時の間の時間帯に第２時間帯としての沸き上げ時間帯Ｄが設定されている。また、図４に示す例では、沸き上げ時間帯Ｃが優先順位の高い高優先時間帯に設定され、沸き上げ時間帯Ｄが沸き上げ時間帯Ｃよりも優先順位の低い低優先時間帯に設定されている。
【００２７】
制御装置３６は、使用者によって設定された優先順位に従い、先ず沸き上げ時間帯Ｃにおいて沸き上げ運転を行う。この際、沸き上げ時間帯Ｃの時間帯に沸き上げ量が目標沸き上げ量に到達した場合には、制御装置３６は、沸き上げ運転を終了するとともに、その後の沸き上げ時間帯Ｄにおいて沸き上げ運転を行わないように制御する。
【００２８】
このような制御によれば、不要な沸き上げ運転を避けることができるので、エネルギ効率を向上させることができる。
【００２９】
ところで、上述した実施の形態１の貯湯式給湯機では、沸き上げ時間帯Ａでの沸き上げ運転において沸き上げ量が目標沸き上げ量に到達しなかった場合に、使用者にその旨を報知する報知手段の構成を備えることが好適である。このような報知手段の構成としては、例えば、リモコン５０の表示部５２に、沸き上げ時間帯Ａでの沸き上げ運転だけでは湯切れの懸念があるため沸き上げ時間帯Ｂにおいても沸き上げ運転を行う旨の文面を表示する構成を適用することができる。また、リモコン５０のスピーカー５３から上記表示の文面と同様の内容を音声で報知する構成を適用してもよい。なお、このことは後述する実施の形態２の貯湯式給湯機においても同様である。
【００３０】
また、上述した実施の形態１の貯湯式給湯機１００では、設定された沸き上げ時間帯において沸き上げ可能な沸き上げ量をリモコン５０の表示部５２に表示する表示手段としての構成を備えることが好適である。このように、沸き上げ運転に関する情報を使用者に報知することにより、湯切れに対する使用者の感度を上げることができるので、湯切れに対する懸念を払拭することができる。なお、このことは後述する実施の形態２の貯湯式給湯機においても同様である。
【００３１】
また、上述した実施の形態１の貯湯式給湯機では、目標沸き上げ量に基づいて、当日の沸き上げ運転のスケジュールを事前に設定する構成でもよい。この場合、制御装置３６は、前日の残湯量及び一日の給湯使用量の過去の履歴等に基づいて、沸き上げ当日の目標沸き上げ量を算出する。そして、制御装置３６は、目標沸き上げ量を沸き上げるために要する時間を算出し、優先順位の高い沸き上げ時間帯から順に沸き上げ運転を行う時間帯を割り当てる。このような制御によれば、当日の目標沸き上げ量を確実に沸き上げることができるので、湯切れを有効に防止することができる。
【００３２】
実施の形態２．
次に、実施の形態２について説明する。実施の形態２では、上述した実施の形態１との相違点を中心に説明し、同一部分又は相当部分については説明を簡略化または省略する。
【００３３】
実施の形態２の貯湯式給湯機は、実施の形態１の貯湯式給湯機１００と同様の構成を備えている。但し、実施の形態２の貯湯式給湯機１００では、使用者が電力料金を優先することを選択した場合に、使用者自身が設定した沸き上げ時間帯の優先順位に加えて、電力料金の時間帯別情報に基づいて沸き上げ時間帯の優先順位を決定する。
【００３４】
図５は、実施の形態２の貯湯式給湯機１００における沸き上げ時間帯の設定の例を示した模式図である。図５に示す例では、使用者は０時から６時の時間帯に第１時間帯としての沸き上げ時間帯Ｅを設定し、１６時から２０時の間の時間帯に第２時間帯としての沸き上げ時間帯Ｆを設定している。また、図５に示す例では、使用者は沸き上げ時間帯Ｅを優先順位の高い高優先時間帯に設定し、沸き上げ時間帯Ｆを沸き上げ時間帯Ｅよりも優先順位の低い低優先時間帯に設定している。
【００３５】
また、実施の形態２の貯湯式給湯機１００は、電力料金の時間帯別情報を記憶している。なお、電力自由化に伴い電力料金体系は各社複数存在する。このため、貯湯式給湯機１００は、これら複数の電力料金体系を記憶しておき、対象となる電力料金体系を使用者に選択させる構成を備えることが望ましい。また、貯湯式給湯機１００がＨＥＭＳ（ホームエネルギーマネジメントシステム）等の外部情報入手手段と接続されている場合には、ＨＥＭＳ経由で契約している電力料金体系等の情報を自動で取得する構成でもよい。
【００３６】
図５に示す電力料金別時間帯は、上述した方法で取得した電力料金体系の一例を示している。なお、この図に示す例では、高料金時間帯Ｇが最も料金の高い時間帯であり、低料金時間帯Ｈが高料金時間帯Ｇよりも料金の低い時間帯であり、そして低料金時間帯Ｊが低料金時間帯Ｈよりも更に料金の低い時間帯である。
【００３７】
図５中の（ａ）に示すように、制御装置３６は、使用者によって設定された優先順位に従い、先ず沸き上げ時間帯Ｅの範囲で低料金時間帯Ｊに属する時間帯Ｗ１において沸き上げ運転を行う。この際、時間帯Ｗ１の時間帯において沸き上げ量が目標沸き上げ量に到達した場合には、制御装置３６は、沸き上げ運転を終了するとともに、その後の沸き上げ時間帯において沸き上げ運転を行わないように制御する。
【００３８】
また、制御装置３６は、時間帯Ｗ１の時間帯において沸き上げ量が目標沸き上げ量に到達しなかった場合には、次に、沸き上げ時間帯Ｆの範囲で低料金時間帯Ｈに属する時間帯Ｗ２において沸き上げ運転を行う。この際、時間帯Ｗ２の時間帯において沸き上げ量が目標沸き上げ量に到達した場合には、制御装置３６は、沸き上げ運転を終了するとともに、その後の沸き上げ時間帯において沸き上げ運転を行わないように制御する。このような制御によれば、設定された沸き上げ時間帯において低料金時間帯を優先して沸き上げ運転を行うことが可能となる。
【００３９】
なお、貯湯式給湯機１００が当日の沸き上げ運転のスケジュールを事前に設定する構成である場合には、以下のように沸き上げ運転を行う時間帯を割り当ててもよい。より詳しくは、図５中の（ｂ）に示すように、制御装置３６は、沸き上げ当日に目標沸き上げ量を沸き上げるために要する時間を算出し、時間帯Ｗ１及び時間帯Ｗ２に対して沸き上げ運転を行う時間帯を順に割り当てる。そして、これらの時間帯Ｗ１、Ｗ２だけでは目標沸き上げ量の沸き上げが完了しない場合には、沸き上げ時間帯Ｅの範囲で高料金時間帯Ｇに属する時間帯Ｗ３、及び沸き上げ時間帯Ｆの範囲で高料金時間帯Ｇに属する時間帯Ｗ４に対して、沸き上げ運転を行う時間帯を順に割り当てる。このような制御によれば、設定された沸き上げ時間帯において低料金時間帯を優先して沸き上げ運転を行うことが可能となる。
【００４０】
また、何らかの理由によって沸き上げ時間帯Ｅ、Ｆにおいて沸き上げ運転を行うことができない場合がある。また、沸き上げ時間帯Ｅ、Ｆの沸き上げ運転によって沸き上げ量が目標沸き上げ量に到達しない場合もある。これらの場合には、制御装置３６は、沸き上げ時間帯の時間外の低料金時間帯において自動で沸き上げ運転を行うことが好ましい。より詳しくは、図５中の（ｃ）に示すように、制御装置３６は、時間帯Ｗ１及び時間帯Ｗ２での沸き上げ量が目標沸き上げ量に到達しなかった場合に、沸き上げ時間帯Ｅ、Ｆの時間外である時間帯のうち低料金時間帯Ｈに属する時間帯Ｗ５において沸き上げ運転を行う。このような制御によれば、低料金時間帯を優先しつつ湯切れを防止することができる。
【００４１】
なお、貯湯式給湯機１００が沸き上げ当日の沸き上げ運転のスケジュールを事前に設定する構成である場合には、以下のように沸き上げ運転を行う時間帯を割り当ててもよい。より詳しくは、図５中の（ｄ）に示すように、制御装置３６は、沸き上げ当日に必要とする沸き上げ時間に基づいて、時間帯Ｗ１及び時間帯Ｗ２に対して沸き上げ運転を行う時間帯を順に割り当てる。また、これらの時間帯Ｗ１、Ｗ２だけでは沸き上げ時間が足りない場合には、制御装置３６は、沸き上げ時間帯の範囲且つ高料金時間帯Ｇである時間帯Ｗ３、Ｗ４に対して順に沸き上げ運転を行う時間帯を割り当てる。また、これらの時間帯Ｗ３、Ｗ４に対して沸き上げ運転の割り当てを行っても未だ沸き上げ時間が足りない場合には、制御装置３６は、沸き上げ時間帯の時間外且つ低料金時間帯Ｈである時間帯Ｗ５に対して沸き上げ運転を行う時間帯を割り当てる。さらに、時間帯Ｗ５に対して沸き上げ運転の割り当てを行っても未だ沸き上げ時間が足りない場合には、制御装置３６は、沸き上げ時間帯の時間外且つ高料金時間帯Ｇである時間帯Ｗ６に対して沸き上げ運転を行う時間帯を割り当てる。このような制御によれば、低料金時間帯を優先しつつ湯切れを防止することができる。
【００４２】
実施の形態１及び２の貯湯式給湯機１００が備える制御装置３６は、以下のように構成されてもよい。制御装置の各機能は、処理回路により実現されてもよい。制御装置の処理回路は、少なくとも１つのプロセッサと少なくとも１つのメモリとを備えてもよい。処理回路が少なくとも１つのプロセッサと少なくとも１つのメモリとを備える場合、制御装置の各機能は、ソフトウェア、ファームウェア、またはソフトウェアとファームウェアとの組み合わせにより実現されてもよい。ソフトウェア及びファームウェアの少なくとも一方は、プログラムとして記述されてもよい。ソフトウェア及びファームウェアの少なくとも一方は、少なくとも１つのメモリに格納されてもよい。少なくとも１つのプロセッサは、少なくとも１つのメモリに記憶されたプログラムを読み出して実行することにより、制御装置の各機能を実現してもよい。少なくとも１つのメモリは、不揮発性または揮発性の半導体メモリ、磁気ディスク等を含んでもよい。
【００４３】
制御装置の処理回路は、少なくとも１つの専用のハードウェアを備えてもよい。処理回路が少なくとも１つの専用のハードウェアを備える場合、処理回路は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、またはこれらを組み合わせたものでもよい。制御装置の各部の機能がそれぞれ処理回路で実現されても良い。また、制御装置の各部の機能がまとめて処理回路で実現されても良い。制御装置の各機能について、一部を専用のハードウェアで実現し、他の一部をソフトウェアまたはファームウェアで実現してもよい。処理回路は、ハードウェア、ソフトウェア、ファームウェア、またはこれらの組み合わせによって、制御装置の各機能を実現してもよい。
【符号の説明】
【００４４】
７  ヒートポンプユニット、８  貯湯タンク、３３  タンクユニット、３６  制御装置、５０  リモコン、５１  操作ボタン、５２  表示部、５３  スピーカー、１００  貯湯式給湯機
【図１】
0006575446.tif 000002
【図２】
0006575446.tif 000003
【図３】
0006575446.tif 000004
【図４】
0006575446.tif 000005
【図５】
0006575446.tif 000006